(57)【要約】      （修正有）【課題】日傘であって、銀杏型に広げた傘幅が人の顔を覆う程度に狭く、人ごみの中においても気兼ねなく差して紫外線をカットでき、Ｕ字型に曲げた金属線からなる傘骨により傘布の展開、重ねたたみが容易に行えるとともに傘柄に設けた自在継ぎ手（ユニバーサルジョイント）部分で傘布の方向転換ができ、軽量で仕舞い易い日傘を提供する。【解決手段】Ｕ字型に曲げた金属線の両端をプレートに固定して傘骨２とし、各傘骨はそれぞれ独立した扇形傘布１の中心線に沿った内側に真っ直ぐな状態で縦に取り付け、傘骨の水平方向への移動で傘布の展開、重ねたたみが素早く行え、傘の柄５に設けた自在継ぎ手部分により柄の方向を自由に変えることができ、重ねた傘布部分を柄と平行にして小さく仕舞い込むことができる。【選択図】図１
0003163769.tif 000002
【実用新案登録請求の範囲】
【請求項１】
銀杏型に広がる日傘であって、この日傘は棒状の柄と、柄の先端部に水平方向への移動
が可能に設けられた複数本の傘骨と、各傘骨に取り付けられた扇型傘布とを備えていて、
複数本の傘骨はそれぞれＵ字型に曲げた金属線の両端をバネ材からなるプレートに固定したものであって、プレートのほぼ中央部にあけられた孔どうしを重ねてこれに柄を貫通させるとともに骨の下側は下受け座で、上側は上受け座でそれぞれ支持され、それぞれの傘骨には扇型傘布の中心線部分が取り付けられていて、各傘骨を移動させて銀杏型に広げた際、各扇型傘布はその一部が重なり合って銀杏型の傘布を形成し、下受け座の下側の柄部分にはあらゆる方向に折り曲げが可能な自在継ぎ手と、この継ぎ手の外側にはまって継ぎ手が柄と一直線を形成するよう固定保持する上下動可能な筒体を備え、柄先端に取り付けた石突で上受け座は柄に固定されていて、複数本の傘骨は傘使用時に骨を移動させて銀杏型に広げ、傘不使用時にはその全てを重ね合わせて簡単に素早く仕舞い込むことができる日傘。
【請求項２】
銀杏型に広がる日傘であって、この日傘は棒状の柄と、柄の先端部に水平方向への移動
が可能に設けられた複数本の傘骨と、各傘骨に取り付けられた扇型傘布とを備えていて、
複数本の傘骨はそれぞれ短冊状の金属薄板で形成されていて一端のほぼ中央部にあけられた孔どうしを重ねてこれに柄を貫通させるとともに骨の下側は下受け座で、上側は上受け座でそれぞれ支持され、それぞれの傘骨には扇型傘布の中心線部分が取り付けられていて、各傘骨を移動させて銀杏型に広げた際、各扇型傘布はその一部が重なり合って銀杏型の傘布を形成し、下受け座の下側の柄部分にはあらゆる方向に折り曲げが可能な自在継ぎ手と、この継ぎ手の外側にはまって継ぎ手が柄と一直線を形成するよう固定保持する上下動可能な筒体を備え、柄先端に取り付けた石突で上受け座は柄に固定されていて、複数本の傘骨は傘使用時に骨を移動させて銀杏型に広げ、傘不使用時にはその全てを重ね合わせて簡単に素早く仕舞い込むことができる日傘。
【考案の詳細な説明】
【技術分野】
【０００１】
本考案は、銀杏型に広がって顔の前にかざすことで顔を紫外線から守ることができ、特
に日中の外出時、野球場、お祭り、運動会等人ごみの中においても差すことのできる日傘
に関する。
【背景技術】
【０００２】
これまでの日傘は、雨傘と同じくほぼ円形に開いた傘布部分は大きく、大勢人の集まる所
で使用することは周りの人への心ずかいがいった。また紫外線対策として傘布がＵＶカ
ット加工された折りたたみ日傘も生産され販売されているが、その仕舞い方は通常の傘と
変わらず、手間がかかった。
【先行技術文献】
【特許文献】
【０００３】
【特許文献１】特開２００６−２４７１４９
【考案の概要】
【考案が解決しようとする課題】
【０００４】
この考案は、傘布が銀杏型に広がり、顔の前にかざして顔部分を紫外線から守ることが
できる大きさの日傘であり、人ごみの中においても回りに迷惑をかけることなく使用する
ことができ、日傘の不使用時には傘布を扇子のように重ねて、柄と共にまとめて収納する
ことができる携帯に便利な、日傘を提供するものである。
またこの考案は日傘のコンパクト化のため、扇形の傘布は複数枚がそれぞれ独立して傘骨
に取り付けられ、各傘布の一部が重なり合って銀杏型に広がり、これを顔の前にかざした
状態での傘布全体の開きの最大幅を成人女性の肩幅40から45ｃｍと小型にしたものである。
【課題を解決するための手段】
【０００５】
この考案の銀杏型に広がる日傘は、傘骨としてＵ字型に曲げた金属線の両端をバネ材からなるプレートに固定したものであって、これを複数本用意し、各傘骨は扇型傘布の中心線に沿ってその内側に縦方向に内蔵されていることが特徴であり、各傘骨のプレート部分に孔があけられていて、すべての孔を重ねた部分に柄を貫通させ要とし、骨の下側は下受け座で、上側は上受け座でそれぞれ支持し、水平方向へ移動可能に取り付けられている。そして骨を水平方向に動かして銀杏型に広げた際、各扇型傘布はその一部が重なり合って、全体としては銀杏型の傘布を形成するものである。さらに下受け座の下側の柄部分にはあらゆる方向に折り曲げが可能な自在継ぎ手（ユニバーサルジョイント）を設けるとともにこの継ぎ手の外側にはまって継ぎ手が柄と一直線を形成するよう固定保持する上下動可能な筒体を備え、柄先端に取り付けた石突で上受け座を柄に固定したものである。
【０００６】
又傘本体の不使用時には、傘骨を動かして扇子のように全ての傘骨を重ね合わせだけの単純な操作で素早く、仕舞い込むことができ、傘骨の軽量化と相まって傘本体を軽量化できて携帯にきわめて便利なものにできる。
【０００７】
日傘の本来的な目的である日除けの点から、傘部分に当たるそれぞれ独立した複数の扇
型傘布は、骨を動かし銀杏型に広げて顔の前にかざした状態での開きの最大幅は成人女性
の肩幅40から45ｃｍとし、扇型傘布部分の長さは先端から要までおよそ32ｃｍとし、差
しても周りの邪魔にならないサイズとした。扇型傘布部分の先端から5ｃｍ〜7ｃｍ内側に
入った布部分は垂れ下がりファツション性に富み又日よけの助けとなる。傘部分の先端か
ら内側に5ｃｍ〜7ｃｍ入った傘布部分の垂れ布のところから扇型傘布の内側に縦方向に巾
3.5ｃｍ〜4ｃｍのプレートつきＵ字型ピンを内蔵するための当て布を円筒状に２6ｃｍ設け、
扇型傘布の中心線部分に縫いつける。又それぞれの先端から7ｃｍところにお互いの布が離れないように1ｃｍ縫いとめる。そして扇の要の部分で、Ｕ字型に曲げた金属線の両端を固定したバネ材からなるプレートにあけた直径６ｍｍの孔を重ねて柄先端の軸部に通し、バネの上下両方を上受け座と下受け座で支持して取り付ける。柄の直径は約1ｃｍ、長さは最長２５ｃｍ〜４０ｃｍと短くして不使用時、柄は1段、2段と入れ込んで短縮させ、扇子のように重ねた扇形布傘部分と共に小さく仕舞い込むことができるようにした。
【考案の効果】
【０００８】
以上のようにこの考案の日傘は、銀杏型に広げた傘幅が人の顔を覆う程度にせまいため、人ごみの中においても周りに気兼ねなく差して紫外線をカットでき、女性にとって行き先きにより髪の乱れが気になり帽子等の使用ができない場合にも便利である。さらに柄に設けた自在継ぎ手部分で重ねた骨および傘布を３６０°の範囲で動かして方向転換ができ、継ぎ手部分で折り曲げもできるので傘布を柄にほぼ平行に沿わせ、仕舞い寸法をコンパクトにして携帯に便利な日傘を提供することができる。
【図面の簡単な説明】
【０００９】
【図１】本考案の日傘を広げて差した状態の斜視図である。
【図２】同日傘の広げ始めの状態を示す斜視図である。
【図３】同日傘を収納するため傘骨を全て重ねて畳んだ扇状とした図である。
【図４】同日傘をコンパクトに収納するため、傘布を一まとめした図である。
【図５】本考案の別な実施例での日傘を広げて差した状態の図である。
【考案を実施するための形態】
【００１０】
この考案の日傘の扇型傘布部分の素材は、ポリエステル、木綿、シルクおよび紫外線カッ
ト加工したポリエステルカーテン地であり、好ましくは少し厚手で張り（剛さ）のある素
地を用いるとよい。柄はアルミニウムまたはプラスチックで短い中空パイプを構成し易い
ものがよく、柄の先端近くに取り付ける自在継ぎ手、上下の受け座の材質は金属、プラス
チック、樹脂が成形性および軽量化の点で好ましい。
さらに傘骨は、金属線好ましくはステンレス鋼線やバネ線材がよく、傘骨を重ねて柄を通す部分のプレートには金属系の素材、例えば鋼板製が好ましい。以下その実施例を図面と共にさらに詳しく説明する。
【実施例１】
【００１１】
図1は、この考案の日傘を広げた状態の斜視図であり、図２の広げ始めの状態から傘骨
を水平方向に動かして複数枚の扇型傘布が一部重なるように広げる。図中1はそれぞれ独
立した複数枚の扇型傘布を示し、2は傘骨であり、これはＵ字型に曲げた金属線の両端を
バネ材からなるプレートに固定したものである。3は傘骨を内蔵する円筒状の当て布袋で、扇型傘布の裏側に傘布の中心線に沿って縫い付けられている。4は傘骨の要部分であり、複数本の傘骨の各一端部にあけた孔を重ねてここに柄５を貫通させている。要４の直下には骨を支持する円盤状の下受け座６とその下側に柄を折り曲げることができる自在継ぎ手７が設けられている。８は要の上側に設けた円盤状の上受け座であり、９は上受け座が柄の先端から外れないよう柄に固定する石突である。
この日傘の傘部分は、傘骨２はピン使用のため真っ直ぐに伸ばし上下の受け座８，７間で
水平方向に動かして複数枚の扇型傘布が一部重なる状態に広げると、図に示すように銀杏
型を作る。扇型傘布は複数枚用いるが、例えば4枚の扇型傘布を取り付けた場合には、１枚の扇型傘布のサイズは長さ約３2ｃｍ、円弧状周縁部の長さ約１7ｃｍ、要部分の幅約４ｃｍとして傘布の重なり部を含めて開き角度約９０°の銀杏型とした。扇型傘布の中心線に沿った裏側には、幅約4ｃｍ、長さ約２6ｃｍの傘骨２を入れるための円筒状の当て布袋３を、傘布周縁近傍から要まで縫い付けている。
【００１２】
各傘骨の一端に取り付けたプレート部には直径約6ｍｍの孔があけられており、全ての孔を重ねてここに柄５の細くした部分を通し、重なった各傘骨の上下両方を上受け座８と下受け座６で支持して傘骨を取り付ける。傘骨を通す部分を除いて柄５の直径は約1ｃｍ、長さは25ｃｍ〜40ｃｍとした。下受け座６の下側の柄５部分には、図３で示す自在継ぎ手７が組み込まれていて、その継ぎ手部分は折り曲げと３６０°の回転が可能になっている。この継ぎ手の外側には上下動可能な筒体（図示せず）が常に上向きに弾力が働くように取り付けられ、通常はこの筒体が継ぎ手の外側にはまって継ぎ手が柄と一直線を形成するよう固定保持していて、継ぎ手を真っ直ぐでかつ回らない状態に保っている。柄先端に取り付けた石突９は上受け座を柄に固定したものであり、この石突９で傘骨部分は柄５の先端部分に外れることなく取り付けられる。
【００１３】
日傘の不使用時、柄５は1段、2段と短く組み込み短縮させ、図３に示すように全ての傘
骨を重ね合わせ、閉じた扇状にして小さく仕舞い込むことができるようにした
【産業上の利用可能性】
【００１４】
この考案日傘は、銀杏型に広げて顔の前にかざし、厳しい紫外線から顔部分を守る日傘
であり、銀杏型の開きの最大幅は成人女性の肩幅４0から45ｃｍとしたので、人ごみの中において気兼ねなく使用できる。また柄に設けた自在継ぎ手により傘柄の方向転換が自由にでき、傘不使用時は仕舞い寸法も小型で軽量のため携帯するのに便利なものである。
【符号の説明】
【００１５】
1    扇型傘布
2    傘骨
3    円筒状の当て布袋
4    要  
５   柄
６  下受け座
７  自在継ぎ手  
８  上受け座
９  石突
【図１】
0003163769.tif 000003
【図２】
0003163769.tif 000004
【図３】
0003163769.tif 000005
【図４】
0003163769.tif 000006
【図５】
0003163769.tif 000007